(57)【要約】【課題】  猫が自ら嗜好物を取りに行く習性を利用し、猫に持続的に興味を持たせることができる猫用知育玩具を提供する。【解決手段】  本発明に係る猫用知育玩具１は、上部が開口し、嗜好物を収容可能な内部空間Ｓを有する紙製の箱体１０を備え、箱体１０の側面部１１及び底面部１２の少なくとも一方には、箱体１０の内方へ突出可能な少なくとも１枚の邪魔板５０が設けられる。【選択図】  図１
2015084761.tif 000002
【特許請求の範囲】
【請求項１】
上部が開口し、嗜好物を収容可能な内部空間を有する紙製の箱体を備え、
前記箱体の側面部及び底面部の少なくとも一方には、前記箱体の内方へ突出可能な少なくとも１枚の邪魔板が設けられる猫用知育玩具。
【請求項２】
前記箱体の側面部の端部には、前記開口の一部を塞ぐ内蓋が設けられる請求項１に記載の猫用知育玩具。
【請求項３】
前記箱体の側面部には、前記箱体内に収容された嗜好物を放出させるための扉が開閉可能に設けられる請求項１又は２に記載の猫用知育玩具。
【請求項４】
前記箱体の側面部、前記内蓋、及び、前記開口を塞ぐために前記箱体の側面部の端部に設けられる蓋体のうち少なくとも一つには、嗜好物を差し込み可能な差込孔が設けられる請求項１〜３のいずれか一項に記載の猫用知育玩具。
【請求項５】
前記箱体の底面部には、前記箱体の内部空間を区画する仕切り壁が設けられる請求項１〜４のいずれか一項に記載の猫用知育玩具。
【発明の詳細な説明】
【技術分野】
【０００１】
本発明は、猫用知育玩具に関するものである。
【背景技術】
【０００２】
近年、猫を室内で飼育することが増えている。猫はもともと野生の肉食動物であるため、自然界で生きた動物の狩猟を行う性質を本能的に身につけている。また、人に飼育されるようになり狩猟を行わなくてもよくなった現在もその本能的な性質を引き継いでいる。そのため、飼い猫には時折、適当に刺激を与えて運動させないと、運動不足やストレス過多に陥る。犬の場合は、首輪をつけて散歩などに連れて行くことが容易であり、またボール等を投げると走って行き忠実にボールを銜えて持ってくるような運動が可能なため、運動不足やストレス等を解消し易いが、猫の場合は、犬に比べて野生性が強く、飼い主が主導的に猫に運動等をさせることが難しい。
【０００３】
そこで、室内で飼育される猫の運動不足やストレスの解消を目的として様々な玩具が開発されている。その中でも特に、内部に収容される嗜好物に猫の興味を引き付け、飼い主を必要とせず猫が自ら遊ぶことができる玩具として、例えば、筒型容器の中心部に嗜好物の一粒大が出し入れできる大きさの孔を設け、猫が転がす度に表面の小さな孔から嗜好物が出てくる仕組みの玩具がある（特許文献１）。猫は嗜好物を食べることで、より一層、食欲が覚醒し、積極的に自ら遊ぶようになる。猫によっては、その転がし方によって、効率的な嗜好物の出し方を習得するものもおり、このような玩具は猫用知育玩具と呼ばれている。このような猫用知育玩具を用いることで、猫の知育が図られるとともに、嗜好物を出すための行為の繰り返しで遊びに飽きることなく玩具を使用するので、運動量も増し、ストレスも解消され、猫の健康面の向上効果が得られる。
【先行技術文献】
【特許文献】
【０００４】
【特許文献１】実用新案登録第３１０３３５７号公報
【発明の概要】
【発明が解決しようとする課題】
【０００５】
しかしながら、猫は、その性質上、犬に比べて転がる玩具にあまり興味を示さず、嗜好物を食べる場合であっても、飼い主から直接与えられるものよりも、自ら取りに行く傾向がある。そのため、上記のような猫用知育玩具では、持続して玩具に興味を抱かないという問題が生じていた。
【０００６】
本発明は、上記課題を解決するためになされたものであり、猫が自ら嗜好物を取りに行く習性を利用し、猫に持続的に興味を持たせることができる猫用知育玩具を提供する。
【課題を解決するための手段】
【０００７】
本発明に係る猫用知育玩具は、上部が開口し、嗜好物を収容可能な内部空間を有する紙製の箱体を備え、前記箱体の側面部及び底面部の少なくとも一方には、前記箱体の内方へ突出可能な少なくとも１枚の邪魔板が設けられる。
【０００８】
本発明の猫用知育玩具によると、箱体に嗜好物を収容すると上部が開口しているので、箱体内の嗜好物が見える状態に置かれる。そのため、自ら嗜好物を取りに行く習性を有する猫に対して、猫用知育玩具に興味を持たせ易くなる。加えて、箱体内の側面部及び底面部に、箱体の内方へ突出可能な邪魔板が１枚又は複数枚設けられている。猫は、物を握るという行為ができないため、底面部から側面部を伝わせて嗜好物を箱体から取り出そうとするが、箱体の内方へ邪魔板を突出させると、邪魔板に嗜好物が引っ掛かり、嗜好物を箱体から容易には取り出せなくなる。飼い主は、猫の様子に応じて邪魔板を突出させる、又は、突出させる邪魔板の枚数を変更することで、猫が箱体から嗜好物を取り出す困難度を変えることができる。その結果、嗜好物を取り出す困難度が遊ぶごとに変わるため、猫を飽きさせず、猫に猫用知育玩具に対する持続的な興味を抱かせることができる。また、猫は、手の肉球に突起物が触れることで本能的に興奮する性質を有するため、邪魔板を突出させて、嗜好物を取るごとに猫の手の肉球に邪魔板が触れるようにすることで、猫は興奮して、猫用知育玩具により興味を引き付けられる。さらに、猫が猫用知育玩具を使用し続けると、猫用知育玩具に自分の臭いが付着し、猫用知育玩具を固体識別して自分の仲間と思い込み、猫が猫用知育玩具に興味を抱かなくなる。しかしながら、猫用知育玩具を紙製とすることで、安価に買い換えることができ、長期にわたって猫用知育玩具に猫の興味を引き付けることができる。
【０００９】
上記猫用知育玩具において、箱体の側面部の端部には、開口の一部を塞ぐ内蓋が設けられることができる。このような構成を有することで、箱体から嗜好物を取り出そうとすると、箱体内において嗜好物が内蓋の下方側へと動いてしまい、嗜好物をより取り出し難くすることができる。これにより、嗜好物の取り出す困難度のバリエーションが増え、より猫用知育玩具に猫の興味を引き付けることができる。また、このような内蓋を設けることで、箱体の開口が狭くなる。そのため、猫は、箱体内に直接顔を入れて嗜好物を食べることができ難くなり、どのようにして効率的に箱体から嗜好物を取り出すかを考えるため、猫の知育を図ることができる。
【００１０】
また、上記猫用知育玩具において、箱体の側面部には、箱体内に収容された嗜好物を放出させるための扉が開閉可能に設けられることができる。これにより、扉を開けておくことで、箱体の上部だけでなく、意外なところから嗜好物が放出され、猫の興味を増したり、箱体から嗜好物を上手く取り出せない猫でも、箱体を傾けて嗜好物を取り出すことができ、様々な猫に、猫用知育玩具に対する興味を抱かせることができる。
【００１１】
また、上記猫用知育玩具において、箱体の側面部、内蓋、及び、開口を塞ぐために箱体の側面部の端部に設けられる蓋体のうち少なくとも一つには、嗜好物を差し込み可能な差込孔が設けられることができる。このような差込孔を設けることで、差込孔に嗜好物を差し込んで、猫にその嗜好物を取らせることができる。このとき、箱体は軽く安定しないため容易に動き、さらにその動きは不自然なものとなる。このように不自然な動きをする箱体を、猫は獲物と看做し、興奮して嗜好物を取ろうと追いかける。また、箱体自体を敵と看做し、攻撃を仕掛ける。これにより、猫に猫用知育玩具に対してより興味を抱かせるとともに、猫に多くの運動をさせることができる。
【００１２】
また、上記猫用知育玩具において、箱体の底面部には、箱体の内部空間を区画する仕切り壁が設けられることができる。このような仕切り壁を設け、嗜好物が収容される区画を狭くすることで、猫が区画内に直接顔を入れて嗜好物を食べることができ難くなり、どのようにして効率的に箱体から嗜好物を取り出すかを考えるため、猫の知育を図ることができる。
【発明の効果】
【００１３】
本発明の猫用知育玩具によると、嗜好物を取り出す困難度を変えることができるために、猫を飽きさせず、猫に持続的に興味を持たせることができる。
【図面の簡単な説明】
【００１４】
【図１】本発明の猫用知育玩具の一実施形態を示す後側斜視図である。
【図２】図１の猫用知育玩具の前側斜視図である。
【図３】図１の猫用知育玩具の内蓋を開放した状態を示す斜視図である。
【図４】図１の猫用知育玩具の展開図である。
【図５】図１の猫用知育玩具の使用状態の一例を示す斜視図である。
【図６】図１の猫用知育玩具の使用状態の他の一例を示す斜視図である。
【発明を実施するための形態】
【００１５】
以下、本発明に係る猫用知育玩具１の一実施形態について添付図面を参照して説明する。図１〜図３に示すように、猫用知育玩具１は、上部が開口する紙製の箱体１０を備え、箱体１０の側面部１１の端部には蓋体２０及び内蓋３０が設けられている。また、箱体１０の底面部１２には仕切り壁４０が設けられており、箱体１０の側面部１１及び底面部１２には邪魔板５０が設けられている。
【００１６】
本実施形態では、箱体１０は、平面視矩形状を呈しており、側面部１１が、互いに対向する左面部１１ａ及び右面部１１ｂと、互いに対向する前面部１１ｃ及び後面部１１ｄの４面から構成されている。左面部１１ａ、右面部１１ｂ、前面部１１ｃ及び後面部１１ｄと底面部１２とで囲まれている内部空間Ｓに上部の開口１３から嗜好物Ｆを収容できるようになっている。側面部１１の高さは、猫が箱体１０内に直接顔を入れて嗜好物Ｆを食べ難い高さに形成されており、４０ｍｍ以上が好ましい。側面部１１のうち、左面部１１ａは、左面部内壁１１１ａと左面部外壁１１２ａとからなっており、２枚の紙材を重ね合わせた構造になっている。同様に、右面部１１ｂも、右面部内壁１１１ｂと右面部外壁１１２ｂとからなっており、２枚の紙材を重ね合わせた構造になっている。なお、左面部１１ａ及び右面部１１ｂは１枚の紙材から形成されても良い。
【００１７】
底面部１２は、底面部内壁１２１と底面部外壁１２２（図４に示す）とからなっており、２枚の紙材を重ね合わせた構造となっている。底面部外壁１２２は、左面部１１ａ、右面部１１ｂ、前面部１１ｃ及び後面部１１ｄの下端部に折り曲げ可能に一体に設けられた２種類の底面構成片１２ａ，１２ｂが、巴状に互いに絡み合って底面部外壁１２２が抜けないように構成されたボトムロック構造が用いられている。本実施形態では、底面構成片１２ｂに連接された連結片１２ｃを隣接する底面構成片１２ａに糊付けしたワンタッチ底構造が用いられている。ワンタッチ底構造は、箱体１０の組み立てと同時に簡単に底面部外壁１２２を形成することができる。なお、底面部外壁１２２は、ワンタッチ底構造に限らず、アメリカンロック構造等、その他の公知の構造を採用することもできる。また、底面部１２は、１枚の紙材から形成されても良い。
【００１８】
箱体１０の前面部１１ｃの下端部には、蓋体２０を閉じた状態で保持するための係止孔１４が形成されており、後面部１１ｄの下端部には、蓋体２０を開いた状態で保持するための係止孔１６（図６に示す）が形成されている。
【００１９】
蓋体２０は、後面部１１ｄの上端部に、折り曲げ可能に一体に設けられている。蓋体２０は、箱体１０の開口１３全体を塞ぐ蓋部２１と、蓋体２０が設けられる後面部１１ｄに対向する前面部１１ｃを覆う被覆部２２とが折り曲げ可能に一体になって矩形状に形成されている。被覆部２２の先端部には係止片２３が折り曲げ可能に一体に設けられている。蓋体２０は、箱体１０の前面部１１ｃの下端部に設けられた係止孔１４に、係止片２３を差し込むことによって閉じられるようになっている。
【００２０】
本実施形態では、邪魔板５０は、左面部内壁１１１ａ、右面部内壁１１１ｂ及び底面部内壁１２１に略Ｕ字状の切込み５２を入れることにより形成され、切込み５２の両端を結ぶ線を軸５１にして屈曲可能となっている。邪魔板５０は、軸５１で箱体１０の内方へ折り曲げることにより内部空間Ｓに突出し、元に戻すことにより内部空間Ｓから退避するようになっている。この邪魔板５０は、箱体１０の後側に設けられており、左面部内壁１１１ａ及び右面部内壁１１１ｂには、猫の手形状に形成された邪魔板５０が各１個設けられ、底面部内壁１２１には、台形状に形成された邪魔板５０が左右対称に各３個設けられている。この底面部内壁１２１に設けられた邪魔板５０の間には仕切り壁４０が設けられている。なお、邪魔板５０の形状及び枚数は、上記実施形態に限定されるものでなく、任意の形状及び枚数としても良い。また、邪魔板５０は、前面部１１ｃ又は後面部１１ｄを２重壁として前面部１１ｃ又は後面部１１ｄに設けても良いし、左面部内壁１１１ａ、右面部内壁１１１ｂ及び底面部内壁１２１の全てに設けず、いずれか１個にのみ設けても良い。
【００２１】
仕切り壁４０は、箱体１０の底面部内壁１２１から直立して設けられており、箱体１０の内部空間Ｓを区画するようになっている。仕切り壁４０によって分割された各区画は、猫が手を入れることはできるが、顔を直接入れることができないサイズとなっている。各区画のサイズとしては、一辺が６０ｍｍ以下となることが好ましい。本実施形態では、仕切り壁４０は、箱体１０の中央位置に前後方向に延びて設けられており、箱体１０の内部を２区画に分割している。なお、仕切り壁４０は、箱体１０が、猫が直接顔を入れることができない大きさであれば設ける必要はないし、２区画に分割しただけでは、猫が容易に顔を入れて嗜好物Ｆを食べられるようであれば、さらに小さい区画に分割するように、複数の仕切り壁４０を設けても良い。
【００２２】
仕切り壁４０は、前側部分４１が側面部１１と略同等の高さに形成されており、後側部分４２が側面部１１より低く形成されている。前側部分４１と後側部分４２との境の段部４３には、後側部分４２と同等の高さで前側部分４１へと水平方向に延びる切込み４４が形成されている。
【００２３】
内蓋３０は、蓋体２０が設けられる後面部１１ｄに対向する前面部１１ｃに設けられている。内蓋３０は、箱体１０の前側半分の開口１３の一部を塞ぐ内蓋部３１と、内蓋部３１を箱体１０に固定するための固定部３２と、内蓋部３１及び固定部３２とを連接する連接部３３とが折り曲げ可能に一体になって形成されている。内蓋部３１は、箱体１０の左右方向と略同等の幅を有し、仕切り壁４０の前側部分４１と略同等の長さを有する矩形状に形成されている。固定部３２及び連接部３３は、箱体１０の内部の左右方向と略同等の幅を有する矩形状に形成されており、連接部３３は、段部４３の高さと同等の長さに形成されている。固定部３２の先端部中央には、仕切り壁４０に形成された切込み４４と互いに嵌まり合うように切込み３４が形成されている。内蓋３０は、内蓋部３１を箱体１０の上端部に沿わせて開口１３の一部を塞ぎ、連接部３３を直角に折り曲げて段部４３に沿わせた後、固定部３２を直角に折り曲げて切込み３４を仕切り壁４０の切込み４４に嵌め込むことで、閉じられた状態に固定される。なお、内蓋３０は、箱体１０の左面部１１ａ、右面部１１ｂ及び後面部１１ｄのいずれにも設けることができるし、設けられなくても良い。また、内蓋３０が塞ぐ領域は開口１３の半分である必要はなく、任意の領域とすることができる。
【００２４】
さらに、箱体１０には、前面部１１ｃに、箱体１０内に収容された嗜好物Ｆを放出させるための扉６０が設けられている。扉６０は、前面部１１ｃに略Ｕ字状の切込み６２（図５に示す）を入れることによって形成され、切込み６２の両端を結ぶ線を軸６１にして屈曲可能となっている。扉６０は、軸６１で箱体１０の外側又は内側に曲げることによって箱体１０の内部空間Ｓに連通する開口が開き、元に戻すことで開口が閉じられるようになっている。なお、扉６０は、左面部１１ａ、右面部１１ｂ及び後面部１１ｄに設けられることもできるし、設けられなくても良い。
【００２５】
また、箱体１０の前面部１１ｃ及び蓋体２０には、棒状の嗜好物Ｆを差し込み可能な差込孔７０が設けられている。本実施形態では、差込孔７０は、直線状の切込みを周方向に４５度ピッチで４本入れる放射線状の切込みとして形成されている。なお、差込孔７０は、前面部１１ｃと蓋体２０のいずれか一方のみに設けられても良いし、左面部１１ａ、右面部１１ｂ及び後面部１１ｄや内蓋３０に設けられても良い。また、差込孔７０は、棒状の嗜好物Ｆと略同等の径を有する開口として形成されても良いし、設けられなくても良い。
【００２６】
上記構成の箱体１０、蓋体２０、内蓋３０及び仕切り壁４０は、図４に示す１枚の型紙１００を所定の折り目に沿って折り曲げることにより組み立てられる。型紙１００は、長方形状の４連の後面部１１ｄ、右面部外壁１１２ｂ、前面部１１ｃ及び左面部外壁１１２ａが折り目１０１を介して連接されており、一端側の後面部１１ｄには他端側の左面部外壁１１２ａを接着させるための貼付片１５が連接されている。後面部１１ｄ、右面部外壁１１２ｂ、前面部１１ｃ及び左面部外壁１１２ａの下端部には、折り目１０２を介して底面構成片１２ａ，１２ｂが連接されており、上端部には、折り目１０３を介して順に蓋部２１、右面部内壁１１１ｂ、内蓋部３１及び左面部内壁１１１ａが連接されている。さらに、蓋部２１の上端部には折り目１０８を介して被覆部２２が連接され、被覆部２２の上端部には折り目１０６を介して係止片２３が連接されている。また、右面部内壁１１１ｂ及び左面部内壁１１１ａの上端部には折り目１０４を介して底面部内壁１２１が連接され、底面部内壁１２１には折り目１０５を介して仕切り壁４０が連接されている。また、内蓋部３１の上端部には折れ目１０７を介して連接部３３が連接されており、連接部３３の上端部には折れ目１０９を介して固定部３２が連接されている。
【００２７】
上記構成の猫用知育玩具１は、まず、図４に示す型紙１００を用い、後面部１１ｄ、右面部外壁１１２ｂ、前面部１１ｃ及び左面部外壁１１２ａと底面構成片１２ａ，１２ｂとを所定の折り目１０１，１０２に沿って折り曲げ、貼付片１５及び連結片１２ｃをそれぞれ、左面部外壁１１２ａ及び底面構成片１２ａに糊付けなどすることで箱体１０を組み立てる。そして、左面部内壁１１１ａ及び右面部内壁１１１ｂを折れ目１０３で箱体１０の内側に折り曲げて左面部１１ａ及び右面部１１ｂを２枚重ねにする。続けて、底面部内壁１２１を折れ目１０４で折り曲げて、底面構成片１２ａ，１２ｂによって組み立てられた底面部外壁１２２に沿わせて底面部１２を２枚重ねにする。それから、折れ目１０５で折り曲げて仕切り壁４０を垂直に立ち上げる。
【００２８】
その後、内蓋部３１、連接部３３及び固定部３２をそれぞれ折れ目１０３、１０７、１０９で折り曲げて、固定部３２の先端部に形成されている切込み３４を仕切り壁４０に形成されている切込み４４に差し込んで内蓋３０が閉じられる。最後に、蓋部２１、被覆部２２及び係止片２３をそれぞれ折れ目１０３、１０８、１０６で折り曲げて、前面部１１ｃの下端部に設けられている係止孔１４に係止片２３を差し込むことで蓋体２０が閉じられる。このとき、仕切り壁４０の前側部分４１が左面部１１ａ、右面部１１ｂ、前面部１１ｃ及び後面部１１ｄと同等の高さであるため、内蓋３０及び蓋体２０は、仕切り壁４０の前側部分４１に支持されることとなる。これにより、荷重を加えても内蓋３０及び蓋体２０が凹み難くなり、箱体１０全体が補強される。
【００２９】
このようにして組み立てられた猫用知育玩具１には、例えば、消臭剤、芳香剤又はまたたび等の誘引剤を添加することもできる。猫は、自分の臭いが付着すると、これを固体認識して自分の仲間と思い込み、その結果、猫用知育玩具１を攻撃しなくなる。そこで、消臭剤、芳香剤又は誘引剤を用いると、猫用知育玩具１に付着した猫の臭いを消したり、猫を誘引させるような香りによって猫の嗅覚を刺激したりすることができ、猫用知育玩具１に猫の興味を引き付け易くなる。
【００３０】
さらに、猫用知育玩具１に音を出す装置（図示せず）を取り付けたり、猫用知育玩具１の外面を、猫が興奮するような色地にし、又、猫の目に刺激を与える模様の絵柄を印刷したりすることもできる。特に、猫用知育玩具１を透明色や自然色に近い色にすると、猫の目に写り難く猫の猫用知育玩具１に対する反応が鈍くなるため、視覚的に目立たせて猫用知育玩具１の存在に猫が気付き易くすることが好ましい。
【００３１】
次に、猫用知育玩具１の使用方法について説明する。飼い主は、係止片２３を係止孔１４から外すことで、蓋体２０を開く。そして、開口１３から箱体１０の内部空間Ｓに嗜好物Ｆを入れる。内部空間Ｓに入れる嗜好物Ｆはタブレット状、棒状等の任意の形状のものを用いることができる。
【００３２】
嗜好物Ｆを取り出す困難度は、箱体１０の左面部内壁１１１ａ、右面部内壁１１１ｂ及び底面部内壁１２１に設けられた邪魔板５０の、箱体１０の内方へ突出させる枚数で調節する。すなわち、全ての邪魔板５０を箱体１０の内方へ突出させると、邪魔板５０に邪魔されて猫が嗜好物Ｆを取り出し難くなる。一方で、邪魔板５０を箱体１０の内方へ突出させないと、猫が嗜好物Ｆを取り出すときに邪魔になるものがなくなり、嗜好物Ｆが取り出し易くなる。さらに、扉６０を箱体１０の外側に折り曲げて開くと、箱体１０を倒すだけで嗜好物Ｆが放出されるので、嗜好物Ｆを取り出す困難度を下げることができる。また逆に、扉６０を箱体１０の内側に折り曲げて開くと、箱体１０を倒しただけでは嗜好物Ｆが扉６０に引っ掛かって放出され難くなり、嗜好物Ｆを取り出す困難度を少し上げることができる。このように、扉６０の開く向きによっても嗜好物Ｆを取り出す困難度を調節することができる。飼い主は、猫の様子に応じて、邪魔板５０を突出させたり、扉６０を開いたりして、嗜好物Ｆを取り出す困難度を調節する。
【００３３】
また、嗜好物Ｆを取り出す困難度の調節とは別に、飼い主は、図５及び図６に示すように、箱体１０の前面部１１ｃや蓋体２０に設けられている差込孔７０に細長形状の嗜好物Ｆを差し込み、猫に、嗜好物Ｆに飛びついて嗜好物Ｆを取らせる遊びを行わせることもできる。このとき、蓋体２０は、図５に示すように、単に開放した状態とすることもできるし、図６に示すように、係止片２３を箱体１０の後面部１１ｄに設けられた係止孔１６に差し込んで固定することもできる。蓋体２０を単に開放した状態だと、蓋体２０が揺れ動くことに興奮して、猫は猫用知育玩具１に引きつけられて遊ぶ。一方、蓋体２０を固定すると、蓋体２０に弾力性が生じ、この蓋体２０の弾力性に興奮して、猫は猫用知育玩具１に引きつけられて遊ぶ。
【００３４】
箱体１０の内部空間Ｓに嗜好物Ｆがなくなると、開口１３から嗜好物Ｆを補充する。
【００３５】
以上のように、本実施形態では、箱体１０に嗜好物Ｆを収容すると上部が開口しているので、箱体１０内の嗜好物Ｆが見える状態に置かれ、自ら嗜好物Ｆを取りに行く習性を有する猫に対して、猫用知育玩具１に興味を持たせ易くなる。一方で、箱体１０の内部空間Ｓに仕切り壁４０を設けるとともに、箱体１０の開口１３の略半分を内蓋３０で塞ぐため、猫が顔を直接箱体１０内に入れて嗜好物Ｆを食べることができ難くなっている。これにより、猫は、どのようにして効率的に箱体１０から嗜好物Ｆを取り出せるかを試行錯誤しながら猫用知育玩具１で遊ぶため、猫の脳を活性化させ知育を図るとともに、猫の運動不足やストレスの解消ができる。
【００３６】
また、本実施形態では、箱体１０の開口１３が狭いため、猫は、手を使って、底面部１２から側面部１１を伝わせて嗜好物Ｆを箱体１０から取り出そうとするが、箱体１０内において内蓋３０で覆われている部分に嗜好物Ｆが移動してしまい、嗜好物Ｆが取り出し難くなっている。それに加えて、箱体１０の左面部内壁１１１ａ、右面部内壁１１１ｂ及び底面部内壁１２１に、箱体１０の内方へ突出可能な邪魔板５０が設けられており、箱体１０の内方へ邪魔板５０を突出させると、邪魔板５０に嗜好物Ｆが引っ掛かり手から落ちてしまうため、嗜好物Ｆを箱体１０から容易には取り出せなくなっている。一方で、箱体１０の前面部１１ｃに設けられている扉６０を開放することで、箱体１０を傾けるだけで嗜好物Ｆを容易に取り出せるようになっている。飼い主は、猫の様子に応じて邪魔板５０を突出させる、突出させる邪魔板５０の枚数を変更する、又は、扉６０を開放することにより、猫が箱体１０から嗜好物Ｆを取り出す困難度を変えることができる。その結果、嗜好物Ｆを取り出す困難度が遊ぶごとに変わるため、猫に好奇心を起こさせ、猫を飽きさせず、猫に猫用知育玩具に対する持続的な興味を抱かせることができる。また、猫は、手の肉球に突起物が触れることで本能的に興奮する性質を有するため、邪魔板５０を突出させて、嗜好物Ｆを取るごとに猫の手の肉球に邪魔板５０が触れるようにすることで、猫は興奮して、猫用知育玩具１により興味を引き付けられる。
【００３７】
また、本実施形態では、蓋体２０及び前面部１１ｃに差込孔７０を設け、差込孔７０に嗜好物Ｆを差し込んで、猫にその嗜好物Ｆを取らせることができる。猫が差込孔７０に差し込まれた嗜好物Ｆを取ろうとすると、箱体１０は軽く安定しないため容易に動き、さらにその動きは不自然なものとなる。このように不自然な動きをする箱体１０を、猫は獲物と看做し、興奮して嗜好物Ｆを取ろうと追いかける。また、箱体１０自体を敵と看做し、攻撃を仕掛ける。これにより、猫に猫用知育玩具１に対してより興味を抱かせるとともに、猫に多くの運動をさせることができる。
【００３８】
さらに、猫が猫用知育玩具１を使用し続けると、猫用知育玩具１に自分の臭いが付着し、猫用知育玩具１を固体識別して自分の仲間と思い込み、猫が猫用知育玩具１に興味を抱かなくなる。しかしながら、猫用知育玩具１を紙製とすることで、安価に買い換えることができ、長期にわたって猫用知育玩具１に猫の興味を引き付けることができる。
【００３９】
以上、本発明の一実施形態について説明したが、本発明は上記形態に限定されるものではなく、その趣旨を逸脱しない限りにおいて、種々の変更が可能である。例えば、上記実施形態では、邪魔板５０は、２重壁として構成された側面部１１の内壁に切込み５２を入れて形成しているが、側面部１１を１重壁として、側面部１１を貫通するように切込み５２を入れて邪魔板５０を形成しても良い。また、側面部１１や底面部１２に着脱自在に邪魔板５０が取り付けられる構成としても良い。
【００４０】
また、上記実施形態では、猫用知育玩具１は蓋体２０が設けられているが、必ずしもその必要はない。このような猫用知育玩具１は、箱体１０の内部空間Ｓに予め猫用の嗜好物Ｆを入れた状態で販売することもできるが、この場合には、蓋体２０が設けられていることで、商品の保全性を高めることができる。一方で、単に玩具兼餌箱としてのみ猫用知育玩具１を使用するのであれば、蓋体２０は特段設ける必要はない。
【００４１】
また、上記実施形態では、内蓋３０は、型紙１００を折り曲げて組み立てることにより開口１３の一部が塞がれるように構成されているが、例えば、箱体１０に接着されて箱体１０と一体に設けられることもできるし、その他任意の方法で着脱自在に設けられることもできる。
【００４２】
また、上記実施形態では、箱体１０を平面視矩形状に形成したが、平面視円形状又は任意の多角形状とすることもできる。
【符号の説明】
【００４３】
１      猫用知育玩具
１０    箱体
１１    側面部
１２    底面部
１３    開口
２０    蓋体
３０    内蓋
４０    仕切り壁
５０    邪魔板
６０    扉
７０    差込孔
Ｆ      嗜好物
Ｓ      内部空間
【図１】
2015084761.tif 000003
【図２】
2015084761.tif 000004
【図３】
2015084761.tif 000005
【図４】
2015084761.tif 000006
【図５】
2015084761.tif 000007
【図６】
2015084761.tif 000008